(57)【要約】【課題】    記録再生装置とその信号を処理する回路基板とのグランドレベルに電位差を起こさず、十分な振動減衰効果が得られるゴムダンパー及びディスク装置の提供。【解決手段】  ゴムダンパー６は、ダンパー本体７と導電部材８とを別部材として構成し、ダンパー本体７によって、記録再生装置２を支持体４に対して弾性的に防振支持する。そして、支持体４の導電部に対して導電接続する支持体用導電部８ａと、記録再生装置２の導電部に対して導電接続する装置用導電部８ｂとを有する導電部材８によって、支持体４と記録再生装置２とを導電接続する。このため記録再生装置２の振動を確実に減衰し、振動を受けてダンパー本体７が弾性変形しても抵抗値が変化せず安定した導電接続を実現できる。【選択図】    図１
2007012228.tif 000002
【特許請求の範囲】
【請求項１】
外周面に溝状の支持部を有するとともに軸心方向に沿う中心孔を有する筒形のゴム状弾性体でなり、前記溝状の支持部にディスク状記録媒体の記録再生装置の導電部が取付けられ、前記中心孔へ挿通させる固定ピンによって前記記録再生装置の支持体の導電部に固定されて、記録再生装置を支持体に対して弾性的に防振支持するダンパー本体と、
支持体と対向するダンパー本体の端面に設けられ、支持体の導電部に対して導電接触する支持体用導電部と、ダンパー本体の溝状の支持部に設けられ、記録再生装置の導電部に対して導電接触する装置用導電部とを有し、支持体と記録再生装置とを導電接続する導電部材と、を備えるゴムダンパー。
【請求項２】
支持体用導電部を、固定ピンを挿通可能な環状に形成した請求項１記載のゴムダンパー。
【請求項３】
装置用導電部を、ダンパー本体の溝状の支持部に周着可能な環状に形成した請求項１又は請求項２記載のゴムダンパー。
【請求項４】
導電部材を、一端に支持体用導電部を有し、他端に装置用導電部を有し、支持体用導電部と装置用導電部とを繋ぐ導電性連結部を有する一体物として形成した請求項１〜請求項３何れか１項記載のゴムダンパー。
【請求項５】
支持体用導電部と装置用導電部にダンパー本体を形成するゴム状弾性体の充填孔を形成し、該充填孔に該ゴム状弾性体が充填してダンパー本体に導電部材を固着した請求項１〜請求項４何れか１項記載のゴムダンパー。
【請求項６】
導電部材を、可撓性と導電性を有する薄板、織布、不織布又は樹脂フィルムとして形成した請求項１〜請求項５何れか１項記載のゴムダンパー。
【請求項７】
外周面に溝状の支持部を有するとともに軸心方向に沿う中心孔を有する筒形のゴム状弾性体でなり、前記溝状の支持部にディスク状記録媒体の記録再生装置の導電部が取付けられ、前記中心孔へ挿通させる固定ピンによって前記記録再生装置の支持体の導電部に固定されて、記録再生装置を支持体に対して弾性的に防振支持するダンパー本体と、
ダンパー本体の中心孔の孔内に露出して該中心孔に挿通した導電性の固定ピンに対して導電接触する支持体用導電部と、ダンパー本体の溝状の支持部に露出して記録再生装置の導電部に対して導電接触する装置用導電部とを有し、支持体と記録再生装置とを導電接続する導電部材と、を備えるゴムダンパー。
【請求項８】
導電部材を、支持体用導電部をなす内環部と、装置用導電部をなす外環部と、内環部と外環部とを繋ぐ連結部と、内環部と外環部との間に開孔するダンパー本体を形成するゴム状弾性体の充填孔と、を有する環状で１枚の導電板にて形成した請求項７記載のゴムダンパー。
【請求項９】
導電部材をダンパー本体に埋設してある請求項７又は請求項８記載のゴムダンパー。
【請求項１０】
ディスク状記録媒体の記録再生装置と、
記録再生装置の出力信号を処理する回路基板と、
記録再生装置及び回路基板を収容する筐体と、を備えるディスク装置において、
記録再生装置と前記支持体としての回路基板との間に請求項１〜請求項９何れか１項記載のゴムダンパーを取付け、導電部材の装置用導電部を記録再生装置の接地電極に接続する一方で、導電部材の支持体用導電部を回路基板の接地電極に接続することを特徴とするディスク装置。
【請求項１１】
ディスク状記録媒体の記録再生装置と、
記録再生装置の出力信号を処理する回路基板と、
記録再生装置及び回路基板を収容するとともに回路基板の接地電極に対して導電接続した筐体と、を備えるディスク装置において、
記録再生装置と前記支持体としての筐体との間に請求項１〜請求項９何れか１項記載のゴムダンパーを取付け、導電部材の装置用導電部を記録再生装置の接地電極に接続する一方で、導電部材の支持体用導電部を筐体に対して導電接続することを特徴とするディスク装置。
【発明の詳細な説明】
【技術分野】
【０００１】
本発明は、車載用、民生用を含めた音響機器、映像機器、情報機器等に用いられるコンパクトディスク（ＣＤ）、ハードディスクドライブ（ＨＤＤ）等のディスク状記録媒体（以下、「ディスク」という。）に記録された情報を再生するディスク装置の振動を減衰するゴムダンパー及びディスク装置に関するものである。
【背景技術】
【０００２】
ディスク装置は、モータによって高速回転するディスクに対して磁気ヘッドや光ピックアップを接近させ、ディスクに情報を記録し又は再生する精密装置である。そのため、偏芯ディスクの回転によって生じる内部振動や機器の外側から伝わってくる外部振動に弱く、それらにより発生する誤動作を防ぐ必要がある。そこで、ディスクの再生機構を実装した記録再生装置と筐体との間にダンパーを介在させ、記録再生装置の振動を減衰するのが通例である。
【０００３】
このような一従来例によるダンパー１は、例えば図１１で示すように、塊状のゴム状弾性体でなるダンパー１が、記録再生装置２に設けた平面視コ字形のダンパー固定部材２ａに対して固定されるとともに、貫通形成した挿通孔に固定ピン３を挿通し筐体４に対して固定されて、記録再生装置２と筐体４の間に取り付けられる。このように、従来のディスク装置５では、ダンパー１によって記録再生装置２を筐体４の内部で弾性支持している（特許文献１参照）。
【０００４】
上記ダンパー１は、具体的には図１２で示すように、絶縁性のゴム状弾性体でなる略円筒形に構成されている。外周側面の周上には、記録再生装置２のダンパー固定部材２ａと係止する溝状の支持部１ａが形成されている。
【０００５】
ところで、前述のようにハードディスクドライブやCDドライブなどの記録再生装置は、ディスクを高速回転させるため静電気を帯びる。この静電気は、記録再生装置２が筐体４の内部で絶縁性のダンパー１によって弾性支持されていることから、記録再生装置２に蓄積されてしまう。このため、記録再生装置２のグランドレベルと、筐体４の内部に設置され、記録再生装置２から送出される信号を処理するディスク装置５の回路基板（図示せず）のグランドレベルとの間に電位差が生じ、音又は画像等のデジタル信号が回路基板で正確に処理されなくなるおそれがある。
【０００６】
そこで、上記問題点を回避するために、ベースポリマーに導電性フィラーを配合した導電性ゴム状弾性体によってダンパー１を形成し、このダンパー１を記録再生装置２の接地電極と回路基板の接地電極とを接続するアース経路として用いる技術が開示されている（特許文献２，特許文献３参照）。
【特許文献１】特開平１０−１７２２７２号公報
【特許文献２】特開平６−１４３４８５号公報
【特許文献３】特開平８−１３０８４８号公報
【発明の開示】
【発明が解決しようとする課題】
【０００７】
しかしながら、導電性ゴム状弾性体の体積抵抗値は、数百Ω・ｃｍ程度であり、通常のアース経路の部材に比べて導通抵抗値が高く、十分な通電が行われないことがある。
また、導電性ゴム状弾性体が振動を受けて弾性変形すると、ベースポリマー中に分散している導電性フィラーどうしの粗密の状態が変化することで体積抵抗値が変化するため、導電性ゴム状弾性体の導通抵抗値が不安定になり、十分な通電が行われないことがある。
【０００８】
以上のような従来技術を背景になされたのが本発明である。すなわち本発明は、記録再生装置とその信号を処理する回路基板とのグランドレベルに電位差を起こさず、そして十分な振動減衰効果が得られるゴムダンパー及びディスク装置を提供することを目的としている。
【課題を解決するための手段】
【０００９】
そして、上記目的を達成する本発明は、以下のように構成される。
【００１０】
すなわち本発明は、外周面に溝状の支持部を有するとともに軸心方向に沿う中心孔を有する筒形のゴム状弾性体でなり、前記溝状の支持部にディスク状記録媒体の記録再生装置の導電部が取付けられ、前記中心孔に挿通させる固定ピンによって記録再生装置の支持体の導電部に固定されて、記録再生装置を支持体に対して弾性的に防振支持するダンパー本体と、支持体と対向するダンパー本体の端面に設けられ、支持体の導電部に対して導電接触する支持体用導電部と、ダンパー本体の溝状の支持部に設けられ、記録再生装置の導電部に対して導電接触する装置用導電部とを有し、支持体と記録再生装置とを導電接続する導電部材と、を備えるゴムダンパーを提供する。
【００１１】
本発明では、ダンパー本体によって記録再生装置が支持体に対して弾性的に防振支持されるので、記録再生装置の振動を確実に減衰することができる。この基本性能に加えて本発明のゴムダンパーは、支持体と対向するダンパー本体の端面に設けられ、支持体の導電部に対して導電接触する支持体用導電部と、ダンパー本体の溝状の支持部に設けられ、記録再生装置の導電部に対して導電接触する装置用導電部とを有し、支持体と記録再生装置とを導電接続する導電部材を備えている。つまり、振動減衰用のダンパー本体と導電経路となる導電部材とを別部材として構成しているため、従来のダンパー１のように、ベースポリマーに配合した導電性フィラーによって導電接続を行う場合と比べて、恒常的に抵抗値を低くすることが可能であり、また振動を受けてダンパー本体が弾性変形しても抵抗値が変化せず安定した導電接続を実現できる。よって、支持体の導電部と記録再生装置の導電部との間に生じるグランドレベルの電位差を確実且つ安定して解消できる。
【００１２】
本発明は前記ゴムダンパーについて、支持体用導電部を固定ピンを挿通可能な環状に形成した。
【００１３】
本発明では、支持体用導電部を、ダンパー本体を支持体に固定する固定ピンを挿通することのできる環状に形成している。このため、固定ピンを挿通することで、支持体用導電部を支持体の導通部と支持体と対向するダンパー本体の端面との間に容易に固定できる。よって、支持体の導電部と導電部材とを簡易で確実に導電接続できる。また、ダンパー本体が振動を受けると支持体用導電部がダンパー本体の変形や振動によって初期の取付状態からずれることが想定される。しかし本発明であれば、ずれたとしても挿通した固定ピンに引っ掛かって外れない。
【００１４】
本発明は前記ゴムダンパーについて、装置用導電部を、ダンパー本体の溝状の支持部に周着可能な環状に形成した。
【００１５】
本発明では、装置用導電部を、ダンパー本体の溝状の支持部に周着可能な環状に形成している。このため、装置用導電部を記録再生装置の導電部と記録再生装置を取付ける溝状の支持部との間に容易に固定できる。よって、記録再生装置の導電部と導電部材とを簡易・確実に導電接続できる。また、ダンパー本体が振動を受けて弾性変形しても、装置用導電部が支持部に周着する環状であるため支持部から外れない。
【００１６】
本発明は前記ゴムダンパーについて、導電部材を、一端に支持体用導電部を有し、他端に装置用導電部を有し、支持体用導電部と装置用導電部とを繋ぐ導電性連結部を有する一体物として形成した。
【００１７】
本発明では、導電部材が一体物であるため支持体用導電部と装置用導電部との確実な導電接続が可能であり、ゴムダンパーの製造時も取り扱いが容易である。
【００１８】
本発明は前記ゴムダンパーについて、支持体用導電部と装置用導電部にダンパー本体を形成するゴム状弾性体の充填孔を形成し、該充填孔に該ゴム状弾性体が充填してダンパー本体に導電部材を固着した。
【００１９】
本発明では、支持体用導電部と装置用導電部の充填孔に該ゴム状弾性体が充填してダンパー本体に導電部材を固着している。このため支持体用導電部と装置用導電部とを所望の位置で確実にダンパー本体に対して一体固着できる。よってゴムダンパーは、組み付け易く、導通部材と支持体の導通部や記録再生装置の導通部との接続が容易で確実な導電接続が可能なゴムダンパーを実現できる。
【００２０】
本発明は前記ゴムダンパーについて、導電部材を、可撓性と導電性を有する薄板、織布、不織布又は樹脂フィルムとして形成した。
【００２１】
本発明によれば、可撓性と導電性のある薄板、織布、不織布又は樹脂フィルムで導電部材を形成するため、導電部材全体としての弾性係数が小さく、ゴムダンパーの弾性変形による振動減衰特性に悪影響を及ぼすことがない。なお、導電性があるとは、素材自体に導電性がある場合でも、また素材に導電性を付加した場合でもよい。前者の例としては金属薄板、金属繊維や炭素繊維などの導電性繊維による織布若しくは不織布などがある。後者の例としては金属層付きの樹脂フィルムなどがある。
【００２２】
また、本発明は外周面に溝状の支持部を有するとともに軸心方向に沿う中心孔を有する筒形のゴム状弾性体でなり、前記溝状の支持部にディスク状記録媒体の記録再生装置の導電部が取付けられ、前記中心孔へ挿通させる固定ピンによって前記記録再生装置の支持体の導電部に固定されて、記録再生装置を支持体に対して弾性的に防振支持するダンパー本体と、ダンパー本体の中心孔の孔内に露出して該中心孔に挿通した導電性の固定ピンに対して導電接触する支持体用導電部と、ダンパー本体の溝状の支持部に露出して記録再生装置の導電部に対して導電接触する装置用導電部とを有し、支持体と記録再生装置とを導電接続する導電部材と、を備えるゴムダンパーを提供する。
【００２３】
本発明では、ダンパー本体が記録再生装置を支持体に対して弾性的に防振支持するので、記録再生装置の振動を確実に減衰することができる。この基本性能に加えて本発明のゴムダンパーは、ダンパー本体の中心孔の孔内に露出して該中心孔に挿通した導電性の固定ピンに対して導電接触する支持体用導電部と、ダンパー本体の溝状の支持部に露出して記録再生装置の導電部に対して導電接触する装置用導電部とを有し、支持体と記録再生装置とを導電接続する導電部材を備えている。つまり、振動減衰用のダンパー本体と導電経路となる導電部材とを別部材として構成しているため、従来のダンパー１のように、ベースポリマーに配合した導電性フィラーによって導電接続を行う場合と比べて恒常的に抵抗値を低くすることが可能であり、また振動を受けてダンパー本体が弾性変形しても抵抗値が変化せず安定した導電接続を実現できる。よって、支持体の導電部と記録再生装置の導電部との間に生じるグランドレベルの電位差を確実且つ安定して解消できる。
【００２４】
本発明は前記ゴムダンパーについて、導電部材を、支持体用導電部をなす内環部と、装置用導電部をなす外環部と、内環部と外環部とを繋ぐ連結部と、内環部と外環部との間に開孔するダンパー本体を形成するゴム状弾性体の充填孔と、を有する環状で１枚の導電板にて形成した。
【００２５】
本発明では、導電部材が内環部、外環部、連結部を有する環状で１枚の導電板であるため、支持体用導電部と装置用導電部とを確実に導電接続することができ、ゴムダンパーの製造時にも取扱い易い。この導電部材は例えば導電性金属薄板の打抜きによって低コストで容易に製造可能である。
また、導電部材にはダンパー本体を形成するゴム状弾性体の充填孔が形成されているので、導電部材を境に上側と下側とでダンパー本体をなすゴム状弾性体が分断されない。したがって、ダンパー本体の変形による振動減衰性能を維持しつつ、確実な導電接続を実現できる。
【００２６】
本発明は前記ゴムダンパーについて、導電部材をダンパー本体に埋設した。
【００２７】
本発明では導電部材をダンパー本体に埋設したため、導電部材がダンパー本体から離脱することがなく一部品として取り扱うことができ、ディスク装置への組付けが容易である。
【００２８】
また、前記目的を達成すべく本発明は、以下のディスク装置を提供する。
第１の本発明は、ディスク状記録媒体の記録再生装置と、記録再生装置の出力信号を処理する回路基板と、記録再生装置及び回路基板とを収容する筐体と、を備えるディスク装置について、記録再生装置と前記支持体としての回路基板との間に前記何れかの本発明によるゴムダンパーを取付け、導電部材の装置用導電部を記録再生装置の接地電極に接続する一方で、導電部材の支持体用導電部を回路基板の接地電極に接続することを特徴とするディスク装置である。
【００２９】
第２の本発明は、ディスク状記録媒体の記録再生装置と、記録再生装置の出力信号を処理する回路基板と、記録再生装置及び回路基板とを収容するとともに回路基板の接地電極に対して導電接続した筐体と、を備えるディスク装置について、記録再生装置と前記支持体としての筐体との間に前記何れか本発明によるゴムダンパーを取付け、導電部材の装置用導電部を記録再生装置の接地電極に接続する一方で、導電部材の支持体用導電部を筐体に対して導電接続することを特徴とするディスク装置である。
【００３０】
これらの本発明では、記録再生装置と回路基板又は筐体との間に前記ゴムダンパーを取付け、導電部材の装置用導電部を記録再生装置の接地電極に接続し、導電部材の支持体用導電部を回路基板の接地電極又は筐体に接続する。つまり、振動減衰用のダンパー本体と導電経路用の導電部材とが別部材であるため、導電部材の抵抗値を恒常的に低くでき、振動を受けて弾性変形しても抵抗値が変化しない。このため、記録再生装置の接地電極と回路基板の接地電極との間に生じるグランドレベルの電位差を確実且つ安定して解消できる。したがって、記録再生装置によってディスク状記録媒体から読み出された音声や画像などの出力信号を回路基板の基板回路で正確に処理することができる。
【発明の効果】
【００３１】
本発明のゴムダンパー及びディスク装置によれば、記録再生装置を弾性的に防振支持するダンパー本体によって記録再生装置の振動を十分に減衰することが可能であり、且つ導電部材を通じて記録再生装置とその信号を処理する回路基板とのグランドレベルの電位差を解消し、記録再生装置のグランドレベルを適切な電位に保つことが可能である。したがって、記録再生装置によってディスク状記録媒体から読み出された音声や画像などの出力信号が回路基板の信号処理系で誤認識される等の問題がなく、正確に処理することができる。
【発明を実施するための最良の形態】
【００３２】
以下、本発明の実施形態の例について図面を参照しつつ説明する。なお、各実施形態で共通する構成については、同一符号を付して重複説明を省略する。
【００３３】
第１実施形態〔図１〜図４〕
【００３４】
Ａ．ゴムダンパーの実施形態
第１実施形態のゴムダンパー６は、ダンパー本体７と導電部材８とを備える。ダンパー本体７は、外周面に円周溝状の支持部７ａを有し、軸心方向に沿って円形に貫通する中心孔７ｂを有する円筒形のゴム状弾性体の成形体にて構成されている。導電部材８は、一端に円環状の支持体用導電部８ａを有し、他端に円環状の装置用導電部８ｂを有するとともに、両者間を繋ぐ導電性連結部８ｃとを形成した一体物として構成されている。
【００３５】
ダンパー本体７における円周溝状の支持部７ａは、ダンパー本体７の軸心方向における略中央部分に形成されている。ハードディスクドライブなどのディスク状記録媒体の記録再生装置２には、図外の記録再生装置２の接地電極と導通する「導電部」としての導電性取付部２ａが形成されている。導電性取付部２ａには支持部７ａの円弧と相対形状の係合内縁２ｂが形成されている。係合内縁２ｂは側面から挟み込むようにして支持部７ａと係合する。またダンパー本体７の中心孔７ｂには固定ピン３が挿通される。固定ピン３の先端側にはネジが形成されており、このネジを金属導電体でなる「支持体」としての筐体４に設けたネジ孔４ａに締結すると、ダンパー本体７が筐体４に固定される。本実施形態では、記録再生装置２の四隅に取付けた４つのダンパー本体７によって、記録再生装置２を筐体４に対して弾性的に防振支持する。
【００３６】
導電部材８は、一端の支持体用導電部８ａを、固定ピン３を挿通可能な円環状に形成してある。支持体用導電部８ａは、その孔をダンパー本体７の中心孔７ｂと整合させた状態で、筐体（導電部）４と対向するダンパー本体７の端面に、筐体（導電部）４と導電接触するように固定される。こうして支持体用導電部８ａは、固定ピン３が挿通された状態でダンパー本体７の端面と筐体（導電部）４との間に挟持される。また、他端の装置用導電部８ｂは、ダンパー本体７の溝状の支持部７ａに周着可能な円環状に形成してある。装置用導電部８ｂは、ダンパー本体７の溝状の支持部７ａと周着する状態で、ダンパー本体７の溝状の支持部７ａに取付ける記録再生装置２の導電性取付部２ａに対して導電接触するように固定される。こうして装置用導電部８ｂは、ダンパー本体７の支持部７ａと記録再生装置２の導電性取付部２ａとの間に挟持される。そして、両者間を繋ぐ導電性連結部８ｃは、導電部材８の取付状態で支持体用導電部８ａと装置用導電部８ｂとの間で弓形の湾曲形状となれるような可撓性を有するものとして形成されている。
【００３７】
導電部材８は、ダンパー本体７の弾性変形による振動減衰性能に影響を与えないように、弾性係数の小さい薄板状の導電体によって形成される。例えば、銅やアルミニウム等の金属薄板、金属繊維や炭素繊維による織布若しくは不織布、又は樹脂フィルムに金属層を固着した積層体等を使用することができる。このうち積層体の具体例としては、厚さ１０μｍ〜１００μｍのＰＥＴ、ＰＥＮ、ＰＣ、ポリイミド、ポリアミド等の樹脂フィルムを基材とし、これにめっき処理、圧着処理、接着処理等により金属層を固着したものとして実現できる。また、導電性連結部８ｃの幅は弾性率を小さくするためにできるだけ狭くするのが望ましい。
【００３８】
次に、本実施形態におけるゴムダンパー６の製造方法の一例を説明する。
【００３９】
まず、導電部材８を成形する。導電部材８が金属薄板や前述の織布若しくは不織布の場合には、金属薄板に支持体用導電部８ａと装置用導電部８ｂとを導電性連結部８ｃで結ぶ形状に打ち抜き加工して得ることができる。また、前述の積層体の場合には、基材に金属層を形成してから同様に打ち抜き加工して得ることができる。
次に、ダンパー本体７を成形するとともに、ダンパー本体７に導電部材８を取り付ける。このためには、ダンパー本体７の成形金型に導電部材８の装置用導電部８ｂをインサートし、ダンパー本体７となるゴム状弾性体を硬化成形する。そしてダンパー本体７を脱型すると、円周溝状の支持部７ａの外周に、導電部材８の装置用導電部８ｂが支持部７ａの軸回り及び軸方向で回転及び移動可能なゴムダンパー６を得ることができる。
【００４０】
Ｂ．ディスク装置の実施形態
第１実施形態のディスク装置９は、金属製の筐体４の内部に記録再生装置２と回路基板１０を備えている。記録再生装置２と筐体４との間には第１実施形態のゴムダンパー６が取付けられている。
【００４１】
回路基板１０は金属ネジ１１によってボス１２を介して筐体４に固定されており、この金属ネジ１１を通じて回路基板１０の接地電極が金属製の筐体４と導通接続されている。回路基板１０は、記録再生装置２によってディスク状記録媒体から読み出された出力信号を処理する。
【００４２】
記録再生装置２は、第１実施形態のゴムダンパー６を介して筐体４に弾性的に防振支持されている。すなわち記録再生装置２の導電性取付部２ａがダンパー本体７の円周溝状の支持部７ａに取付けられる。導電性取付部２ａの下面は導電部材８の装置用導電部８ｂと接触しており、これにより記録再生装置２と導電部材８とが導通接続される。また、導電部材８の支持体用導電部８ａは、筐体４と対向するダンパー本体７の端面に取付けられており、金属製の筐体４と接触している。これにより導電部材８と金属製の筐体４とが導通接続される。
【００４３】
以上のようにして第１実施形態のディスク装置９では、[導電性取付部２ａ]−[導電部材８]−[金属製の筐体４]−[金属ネジ１１]−[回路基板１０の接地電極]という導電経路が形成され、実質的に記録再生装置２と回路基板１０の接地電極が共通のグランド電位で導電接続されることとなる。
【００４４】
Ｃ．第１実施形態のゴムダンパー６とディスク装置９の作用・効果
次に、説明済みのものを除き、本実施形態の作用・効果を説明する。
【００４５】
ゴムダンパー６のダンパー本体７は記録再生装置２を筐体４に対して弾性的に防振支持しているので、記録再生装置２の内乱振動や外乱振動を十分に減衰することができる。
【００４６】
金属製の筐体（導電部）４と記録再生装置２の導電性取付部２ａとは、ダンパー本体７とは別部材の導電部材８によって導電接続される。つまり、振動減衰用のダンパー本体７それ自体を導電性とするのではなく、導電経路となる導電部材８はダンパー本体７と別部材である。このため、導電部材８の抵抗値を恒常的に低くすることができ、振動を受けてダンパー本体７が弾性変形しても導通抵抗値が変化しない。よって、筐体４と記録再生装置２の導電性取付部２ａとの間に生じるグランドレベルの電位差を確実且つ安定して解消することができる。
【００４７】
導電部材８は支持体用導電部８ａ、装置用導電部８ｂ、導電性連結部８ｃを一体物として有する。このため、支持体用導電部８ａと装置用導電部８ｂとを確実に導電接続できる。また、ゴムダンパー６の製造時も取り扱いが容易である。
【００４８】
導電部材８の支持体用導電部８ａは、固定ピン３を挿通可能な環状である。このため固定ピン３を挿通させることで、支持体用導電部８ａを筐体４とダンパー本体７の端面との間に容易に固定できる。よって、筐体４と導電部材８とを簡易で確実に導電接続できる。また、ダンパー本体７が振動を受けて変形したりすると支持体用導電部８ａが初期の取付状態から位置ずれすることが想定されるが、ずれたとしても固定ピン３と引っ掛かるため外れることはない。
【００４９】
導電部材８の装置用導電部８ｂは、ダンパー本体７の円周溝状の支持部７ａに周着可能な環状である。このため記録再生装置２の導電性取付部２ａと支持部７ａとの間に装置用導電部８ｂを容易に固定できる。よって、記録再生装置２の導電性取付部２ａと導電部材８とを簡易・確実に導電接続できる。また、ダンパー本体７が弾性変形しても、装置用導電部８ｂは支持部７ａに周着する環状であるため支持部７ａから外れない。
【００５０】
ディスク装置９は、振動減衰用のダンパー本体７と導電経路用の導電部材８とが別部材であるから、導電部材８の抵抗値を恒常的に低くでき、振動を受けて弾性変形しても導通抵抗値が変化しない。このため、記録再生装置２の接地電極と、筐体４と導電接続した回路基板１０と接地電極との間に生じるグランドレベルの電位差を、確実且つ安定して解消できる。したがって、このディスク装置９では、記録再生装置２によってディスク状記録媒体から読み出された音声や画像などの出力信号を誤認識するなどの問題がなく、回路基板の信号処理系で正確に処理することができる。
【００５１】
Ｄ．第１実施形態の変形例
最後に、本実施形態の変形例によるゴムダンパー１３を説明する。前述の導電部材８の支持体用導電部８ａと装置用導電部８ｂについては、図４（Ｂ）で示すように、ダンパー本体７をなすゴム状弾性体の充填孔８ｄを形成してもよい。こうすることで、インサート成形時に充填孔８ｄにゴム状弾性体が充填され硬化するのでダンパー本体７の所定位置に導電部材８を強固に固着することができ、ダンパー本体７と導電部材８とが一体形成されることとなる。したがって、前述の第１実施形態のように支持部７ａの外周回りで回転可能で軸方向で移動可能な装置用導電部８ｂを支持部７ａの端に寄せておいて導電性取付部２ａを差し込んだり、またゴムダンパー６の筐体４への固定時に支持体用導電部８ａを曲げた状態で固定ピン３を挿通させるような組付け作業が不要となり、ディスク装置９への組付け作業を省力化することができる。
【００５２】
前述の導電部材８については弾性率が小さく可撓性のある材料にて形成し、導電性連結部８ｃを屈曲させて取付けるものを例示したが、予めその導電性連結部８ｃの屈曲形状と同様の屈曲部を形成してある導電部材としてもよい。
【００５３】
第２実施形態〔図５〜図９〕
【００５４】
Ａ．ゴムダンパーの実施形態
第２実施形態のゴムダンパー１４が、第１実施形態のゴムダンパー６と異なるのは、導電部材１５の構造である。残余の構成は第１実施形態と同様であり重複説明を省略する。
【００５５】
この実施形態の導電部材１５は、「内環部」としての支持体用導電部１５ａと、「外環部」としての装置用導電部１５ｂと、それらを繋ぐ導電性連結部１５ｃと、ダンパー本体７をなすゴム状弾性体の充填孔１５ｄとを有する環状で１枚の導電板によって構成されている。なお、導電部材１５の材質は第１実施形態と同様のものを使用できるが、第１実施形態の導電部材８の導電性連結部８ｃのような屈曲変形は不要であるから、実質的に可撓性が無いか乏しい材質のものでも使用できる。
【００５６】
導電部材１５の充填孔１５ｄにはゴム状弾性体が充填・硬化しており、ダンパー本体７に埋設されている。また導電部材１５の支持体用導電部１５ａは、ダンパー本体７の中心孔７ｂの孔内に露出しており、中心孔７ｂに挿通した導電性の固定ピン３に対して導電接触するようになっている。また、装置用導電部１５ｂはダンパー本体７の円周溝状の支持部７ａに露出しており、記録再生装置２の導電性取付部２ａに対して導電接触する。
【００５７】
Ｂ．ディスク装置の実施形態
第２実施形態のディスク装置１６が、第１実施形態のディスク装置９と異なるのは、記録再生装置２と筐体４との間に第２実施形態のゴムダンパー１４を取付けた構造である。残余の構成は第１実施形態と同様であり作用・効果を含めて重複説明を省略する。
【００５８】
第２実施形態のゴムダンパー１４は、第１実施形態のゴムダンパー６と同様に、ダンパー本体７の溝状の支持部１４ａに記録再生装置２の導電性取付部２ａが取付けられ、外環部としての装置用導電部１５ｂが導電性取付部２ａと接触する。また、導電性の固定ピン３がダンパー本体７の中心孔７ｂに挿通されることで、内環部としての支持体用導電部１５ａが固定ピン３と接触する。固定ピン３は金属製の筐体４のネジ孔４ａに締結される。筐体４には、基板回路の接地電極と接触する金属ネジ１１によって回路基板１０が取付けられる。
【００５９】
上記のようにして第２実施形態のディスク装置１６では、[導電性取付部２ａ]−[導電部材１５の装置用導電部１５ｂ（外環部）] −[導電部材１５の導電性連結部１５ｃ]−[導電部材１５の支持体用導電部１５ａ（内環部）]−[金属製の固定ネジ３]−[金属製の筐体４]−[金属ネジ１１]−[回路基板１０の接地電極]という導電経路が形成され、実質的に記録再生装置２と回路基板１０の接地電極が共通のグランド電位で導電接続されることとなる。
【００６０】
Ｃ．第２実施形態のゴムダンパー１４とディスク装置１６の作用・効果
次に、説明済みのものを除き、第２実施形態の作用・効果を説明するが、第２実施形態に固有のものだけを説明し、第１実施形態と共通の説明は省略する。
【００６１】
導電部材１５が導電性の一枚板であるため、支持体用導電部１５ａと装置用導電部１５ｂとを確実に導電接続でき、ゴムダンパー１４の製造時にも取扱い易い。しかも、第１実施形態の導電部材８のように、使用状態でダンパー本体７の外部に突出する導電性連結部８ｃに相当する構成が無いので、筐体４内の取付箇所周辺の省スペース化の要請に対応することができる。
【００６２】
また、導電部材１５の充填孔１５ｄにはゴム状弾性体が充填・硬化しており、ダンパー本体７に導電部材１５を埋設する構成としても、導電部材１５を境とする両側のゴム状弾性体が分断されない。したがって、ダンパー本体７の弾性変形による振動減衰性能を維持しつつ、確実な導電接続を実現することができ、しかも導電部材１５がダンパー本体７から脱離しない。
【００６３】
導電部材１５は、支持体用導電部１５ａがダンパー本体７の中心孔７ｂの孔内に露出しており、該中心孔７ｂに固定ピン３を挿通すれば接触する。これによって導電性の固定ピン３を、(1)ダンパー本体７の固定と、(2)導電経路の形成とに共用することができるようになる。
【００６４】
Ｄ．第２実施形態の変形例
本実施形態の一変形例について説明する。導電部材１５では「内環部」としての支持体用導電部１５ａが円環状のものを例示したが、この場合、支持体用導電部１５ａの全周が挿通される固定ピン３と接触するため、その接触抵抗が固定ピン３の取付性に影響を与えることがあり得る。図９の導電部材１５はこれを改善したものである。
この変形例の導電部材１５では、内周縁をダンパー本体７の肉厚内に埋め込むようにしており、その代わりに、内周縁の２カ所から内向きに突出する舌片形状の支持体用導電部１５ｅを形成したものである。この支持体用導電部１５ｅは内周縁の２カ所から部分的に突出し且つ突出形態が片持ち梁状で弾性があるため、挿通される固定ピン３との接触抵抗を緩和することができ、良好な取付性を実現することができる。なお、図９では２カ所で突出する例を示したが、１カ所でも３カ所以上でもよい。
【００６５】
第３実施形態〔図１，図２，図１０〕
【００６６】
この第３実施形態のゴムダンパーは、前述の第１実施形態又は第２実施形態のゴムダンパー６，１４を使うディスク装置に関する実施形態である。なお、ここでは第１実施形態のゴムダンパー６を使う例を説明する。
【００６７】
第３実施形態のディスク装置１７が、第１実施形態のディスク装置９と異なるのは、記録再生装置２と回路基板１０との間に第１実施形態のゴムダンパー６を取付けた構造である。残余の構成は第１実施形態と同様であり重複説明を省略する。
【００６８】
本実施形態のディスク装置１７では、回路基板１０が、ダンパー本体７の中心孔７ｂに挿通させる導電性の固定ピン３によって、ゴムダンパー６とともに、ボス１２を介して筐体４に固定され収容される。回路基板１０とこれと対向するダンパー本体７の端面との間には導電部材８の支持体用導電部８ａが挟持される。これによって回路基板１０の接地電極に対して導電部材８の支持体用導電部８ａが直接導電接触している。そして、導電性の固定ピン３は回路基板１０の接地電極と接触しており、且つその先端が導電性の筐体４のネジ孔４ａと螺合している。
【００６９】
上記のようにして、第３実施形態のディスク装置１７では、記録再生装置２の導電性取付部２ａと回路基板１０の接地電極とが直接導電接続され、導電性の固定ピン３を共通の導電経路として筐体４への接地接続が達成されることになる。したがって、導電性の固定ピン３を、(1)ダンパー本体７の固定用、(2)記録再生装置２の接地経路、(3)回路基板１０の接地経路、(4)回路基板の固定用、といった４つの用途に兼用することが可能となり、部品点数の削減をも達成できる。
【００７０】
各実施形態に共通の変形例
【００７１】
以上の実施形態におけるダンパー本体７は円筒形状のものを例示したが、角筒形状のものとしてもよい。また、断面円形の支持部７ａの形状を断面多角形に変更する場合には、装置側導電部８ｂの形状もそれと合致する環状多角形に変更することができる。さらに、導電部材８の支持体用導電部８ａと装置用導電部８ｂは無端円環状のものを例示したが、いずれも固定ピン３やダンパー本体７の支持部７ａから外れ難ければよいので、有端環状のものであってもよい。
【図面の簡単な説明】
【００７２】
【図１】第１実施形態のディスク装置の説明図。
【図２】第１実施形態のゴムダンパーの説明図。
【図３】図１で示すゴムダンパーの取付構造の要部拡大説明図。
【図４】図１及び図２のゴムダンパーに備える導電部材の説明図。
【図５】第２実施形態のディスク装置の説明図。
【図６】第２実施形態のゴムダンパーの説明図。
【図７】図５で示すゴムダンパーの取付構造の要部拡大説明図。
【図８】図５及び図６のゴムダンパーに備える導電部材の説明図。
【図９】導電部材の変形例を示す要部拡大説明図。
【図１０】第３実施形態によるゴムダンパーの取付構造の要部拡大説明図。
【図１１】一従来例によるディスク装置の説明図。
【図１２】図１１のゴムダンパーの説明図。
【符号の説明】
【００７３】
１    ダンパー（従来例）
１ａ  支持部
２    記録再生装置
２ａ  導電性取付部（導電部）
３    固定ピン
４    筐体（支持体、導電部）
４ａ  ネジ孔（導電部）
５    ディスク装置
６    ゴムダンパー（第１実施形態）
７    ダンパー本体
７ａ  支持部
７ｂ  中心孔
８    導電部材
８ａ  支持体用導電部
８ｂ  装置用導電部
８ｃ  導電性連結部
８ｄ  充填孔
９    ディスク装置（第１実施形態）
１０    回路基板
１１    金属ねじ
１２    ボス
１３    ゴムダンパー（第１実施形態の変形例）
１４    ゴムダンパー（第２実施形態）
１５    導電部材
１５ａ  支持体用導電部
１５ｂ  装置用導電部
１５ｃ  連結部
１５ｄ  充填孔
１５ｅ  支持体用導電部
１６    ディスク装置（第２実施形態）
１７    ディスク装置（第３実施形態）
【図１】
2007012228.tif 000003
【図２】
2007012228.tif 000004
【図３】
2007012228.tif 000005
【図４】
2007012228.tif 000006
【図５】
2007012228.tif 000007
【図６】
2007012228.tif 000008
【図７】
2007012228.tif 000009
【図８】
2007012228.tif 000010
【図９】
2007012228.tif 000011
【図１０】
2007012228.tif 000012
【図１１】
2007012228.tif 000013
【図１２】
2007012228.tif 000014